(57)【要約】【課題】小型で商用電源が必要無いため、外出するときの携帯性及び使用性に優れた携帯型コーヒーミル及びコーヒー抽出装置を提供する。【解決手段】携帯型コーヒーミル及びコーヒー抽出装置は、コップ本体１、濾過ユニット２、研磨ユニット３及び駆動ユニット４を備える。コップ本体１は、開口を上向きとする収容空間１１を有する。濾過ユニット２は、ドリッパー２１及びリング２２を有する。ドリッパー２１の下端には、フィルター２１１が設けられる。ベースボディ３１の下端は、濾過ユニット２のドリッパー２１の内側に取付けられる。駆動ユニット４は、研磨ユニット３のベースボディ３１の上端に取付けられるとともに、嵌着部４１を下端に有する。嵌着部４１は、研磨ユニット３の回転軸に取付けられる。【選択図】図２
0003214079.tif 000002
【実用新案登録請求の範囲】
【請求項１】
コップ本体、濾過ユニット、研磨ユニット及び駆動ユニットを備えた携帯型コーヒーミル及びコーヒー抽出装置であって、
前記コップ本体は、開口を上向きとする収容空間を有し、
前記濾過ユニットは、ドリッパー及びリングを有し、前記ドリッパーの下端には、フィルターが設けられ、前記フィルター上の外周面には、取付け部が設けられ、前記取付け部上には、テーパ面が設けられ、前記ドリッパーの前記取付け部には、リングが螺着され、前記リングの上端には、複数の爪が設けられ、
前記研磨ユニットは、両端に設けられた中空状のベースボディと、外周面上に設けられた環状フランジと、内部に設けられたフレームと、を有し、前記フレーム下には、研磨リングが取付けられ、前記研磨リング内には、研磨刃が取付けられ、前記研磨刃及び前記フレームの上端には、回転軸が枢着され、前記回転軸により前記研磨刃が旋回され、前記ベースボディの下端が前記濾過ユニットの前記ドリッパーの内側に取付けられ、
前記駆動ユニットは、前記研磨ユニットの前記ベースボディの上端に取付けられるとともに、嵌着部を下端に有し、
前記嵌着部は、前記研磨ユニットの前記回転軸に取付けられることを特徴とする携帯型コーヒーミル及びコーヒー抽出装置。
【請求項２】
前記駆動ユニットは電動駆動ユニット又は手動駆動ユニットであることを特徴とする請求項１に記載の携帯型コーヒーミル及びコーヒー抽出装置。
【請求項３】
前記電動駆動ユニットは、前記研磨ユニットの前記ベースボディの上端に取付けられるとともに、ハウジングと、前記ハウジング内に設置されたモータと、バッテリーと、ＵＳＢ充電ポートと、電源スイッチと、制御回路基板と、電量表示インタフェースと、を有し、
前記バッテリーは、前記ＵＳＢ充電ポートを介して外部電源と接続して充電し、前記モータへ電力を供給し、前記電源スイッチは、前記制御回路基板を介して前記モータをオンし、前記モータの心軸下端には、前記嵌着部が取付けられることを特徴とする請求項２に記載の携帯型コーヒーミル及びコーヒー抽出装置。
【請求項４】
前記手動駆動ユニットは、前記研磨ユニットの前記ベースボディの上端に取付けられるとともに、前記嵌着部を底部に有する回転盤と、前記回転盤の外縁一側に設置されたつまみと、を有することを特徴とする請求項２に記載の携帯型コーヒーミル及びコーヒー抽出装置。
【請求項５】
前記コップ本体の上端には、収容空間を有する上蓋が設けられ、
前記上蓋は、前記コップ本体の頂端に可動可能に被せられ、前記コップ本体の前記収容空間と前記上蓋の前記収容空間とからなる空間内に前記駆動ユニット、前記研磨ユニット及び前記濾過ユニットを収納して保管することを特徴とする請求項１に記載の携帯型コーヒーミル及びコーヒー抽出装置。
【考案の詳細な説明】
【技術分野】
【０００１】
本考案は、コーヒーミル及びコーヒー抽出の技術に関し、特に、携帯型コーヒーミル及びコーヒー抽出装置に関する。
【背景技術】
【０００２】
ひきたて、入れたてのコーヒーを作るのに必要な単独のコーヒーミル、コーヒー抽出装置又はコーヒーミルの機能とコーヒー抽出装置の機能とが結合された全機能コーヒーメーカーは従来から市販され、消費者自らコーヒー豆を挽いてコーヒー粉を作り、コーヒーを抽出することができ、このようなコーヒーメーカーは徐々に小型化されているが、依然として一定の体積及び重量があったため、自宅、事務所又は店舗だけでしか使用できず、外出したり旅行したりする際、大型で重かったため携行が容易でなく、荷物の軽量化を求める自転車のライダーなどにとって不便であった。また、従来のコーヒー抽出装置、コーヒーミルは商用電源から給電しなければならなかったため、商用電源が得られない場合、使用することができなかった。この問題点に鑑み、本考案者は多くの実験及びテストを行い、上述した欠点を改善し、使用し易い携帯型コーヒーミル及びコーヒー抽出装置を開発した。
【考案の概要】
【考案が解決しようとする課題】
【０００３】
本考案の主な目的は、小型で商用電源が必要無いため、外出するときの携帯性及び使用性に優れた携帯型コーヒーミル及びコーヒー抽出装置を提供することにある。
【課題を解決するための手段】
【０００４】
上記課題を解決するために、本考案の第１の形態によれば、コップ本体、濾過ユニット、研磨ユニット及び駆動ユニットを備えた携帯型コーヒーミル及びコーヒー抽出装置であって、前記コップ本体は、開口を上向きとする収容空間を有し、前記濾過ユニットは、ドリッパー及びリングを有し、前記ドリッパーの下端には、フィルターが設けられ、前記フィルター上の外周面には、取付け部が設けられ、前記取付け部上には、テーパ面が設けられ、前記ドリッパーの前記取付け部には、リングが螺着され、前記リングの上端には、複数の爪が設けられ、前記研磨ユニットは、両端に設けられた中空状のベースボディと、外周面上に設けられた環状フランジと、内部に設けられたフレームと、を有し、前記フレーム下には、研磨リングが取付けられ、前記研磨リング内には、研磨刃が取付けられ、前記研磨刃及び前記フレームの上端には、回転軸が枢着され、前記回転軸により前記研磨刃が旋回され、前記ベースボディの下端が前記濾過ユニットの前記ドリッパーの内側に取付けられ、前記駆動ユニットは、前記研磨ユニットの前記ベースボディの上端に取付けられるとともに、嵌着部を下端に有し、前記嵌着部は、前記研磨ユニットの前記回転軸に取付けられることを特徴とする携帯型コーヒーミル及びコーヒー抽出装置が提供される。
【０００５】
前記駆動ユニットは電動又は手動であることが好ましい。
【０００６】
前記電動駆動ユニットは、前記研磨ユニットの前記ベースボディの上端に取付けられるとともに、ハウジングと、前記ハウジング内に設置されたモータと、バッテリーと、ＵＳＢ充電ポートと、電源スイッチと、制御回路基板と、電量表示インタフェースと、を有し、前記バッテリーは、前記ＵＳＢ充電ポートを介して外部電源と接続して充電し、前記モータへ電力を供給し、前記電源スイッチは、前記制御回路基板を介して前記モータをオンし、前記モータの心軸下端には、前記嵌着部が取付けられることが好ましい。
【０００７】
前記手動駆動ユニットは、前記研磨ユニットの前記ベースボディの上端に取付けられるとともに、前記嵌着部を底部に有する回転盤と、前記回転盤の外縁一側に設置されたつまみと、を有することが好ましい。
【０００８】
前記コップ本体の上端には、収容空間を有する上蓋が設けられ、前記上蓋は、前記コップ本体の頂端に可動可能に被せられ、前記コップ本体の前記収容空間と前記上蓋の前記収容空間とからなる空間内に前記駆動ユニット、前記研磨ユニット及び前記濾過ユニットを収納して保管することが好ましい。
【図面の簡単な説明】
【０００９】
【図１】図１は、本考案の一実施形態に係る携帯型コーヒーミル及びコーヒー抽出装置を示す斜視図である。
【図２】図２は、本考案の一実施形態に係る携帯型コーヒーミル及びコーヒー抽出装置を示す分解斜視図である。
【図３】図３は、図２の断面図である。
【図４】図４は、濾過ユニットを示す分解図である。
【図５】図５は、図４の線Ａ−Ａに沿った断面図である。
【図６】図６は、リングとドリッパーとの取付け部を示す部分断面図である。
【図７】図７は、リングを旋回させて爪が外方へ開いた状態を示す部分断面図である。
【図８】図８は、図１の組立収納の断面図である。
【図９】図９は、本考案の一実施形態に係るコーヒーミルを示す断面図である。
【図１０】図１０は、濾過ユニットを取り外した後にリングを旋回させて爪が外方へ開いた状態を示す断面図である。
【図１１】図１１は、本考案の一実施形態に係る携帯型コーヒーミル及びコーヒー抽出装置は、濾過ユニットをコップ本体の上端へ嵌設し、コーヒーを抽出する状態を示す説明図である。
【図１２】図１２は、本考案の一実施形態に係る携帯型コーヒーミル及びコーヒー抽出装置を使用し、手動で豆を挽くときの状態を示す分解断面図である。
【図１３】図１３は、米、オートミール又は雑穀を挽くときの状態を示す断面図である。
【図１４】図１４は、本考案の一実施形態に係る携帯型コーヒーミル及びコーヒー抽出装置を保温容器として用いるときの状態を示す断面図である。
【考案を実施するための形態】
【００１０】
以下、図１〜図７に基づいて本考案の特徴及び効果について詳細に説明する。
【００１１】
図１〜図７を参照する。図１〜図７に示すように、本考案の一実施形態に係る携帯型コーヒーミル及びコーヒー抽出装置は、少なくともコップ本体１、濾過ユニット２、研磨ユニット３、駆動ユニット４、上蓋５及び保温蓋６から構成されてなる。
【００１２】
コップ本体１は、開口を上向きとする収容空間１１を有する。コップ本体１の開口外側には、雄ねじ１２が設けられている。
【００１３】
図４〜図７に示すように、濾過ユニット２は、ドリッパー２１及びリング２２を有する。ドリッパー２１の下端には、フィルター２１１が設けられる。フィルター２１１上の外周面には、取付け部２１２が設けられる。取付け部２１２上には、テーパ面２１３が設けられる。リング２２は、ドリッパー２１の取付け部２１２に螺着される。リング２２の上端には、上向きで外に広がった複数の爪２２１が設けられる。図６及び図７に示すように、リング２２は、ドリッパー２１の取付け部２１２に旋回可能に取付けられる。リング２２を上向きに締め付けると、爪２２１は、テーパ面２１３に沿って外に広がり、爪２２１の外径がドリッパー２１上端の外径より大きくなり、リング２２が反対方向へ旋回されると、爪２２１が元の状態となる。
【００１４】
研磨ユニット３は、両端に設けられた中空状のベースボディ３１と、外周面上に設けられた環状フランジ３２と、内部に設けられたフレーム３３と、を有する。フレーム３３下には、研磨リング３４が取付けられる。研磨リング３４内には、研磨刃３５が取付けられる。研磨刃３５及びフレーム３３の上端には、回転軸３６が枢着され、回転軸３６により研磨刃３５が旋回される。図９に示すように、濾過ユニット２のドリッパー２１の内側は、ベースボディ３１の環状フランジ３２の下端に取付けられる。コーヒー豆をベースボディ３１内に投入し、研磨リング３４と研磨刃３５との噛合によりコーヒー豆を挽いて作ったコーヒー粉は、濾過ユニット２下方のフィルター２１１内に入り込む。
【００１５】
駆動ユニット４は電動又は手動である。図１〜図１１は、電動の実施例であり、図１２は、手動の実施例である。
【００１６】
図１〜図１１を参照する。図１〜図１１に示すように、駆動ユニット４は、研磨ユニット３のベースボディ３１の上端に旋回可能に取付けられ、ハウジング４２と、ハウジング４２内に設置されたモータ４３と、バッテリー４４と、ＵＳＢ充電ポート４５と、電源スイッチ４６と、制御回路基板４７と、電量表示インタフェース４８と、を有する。バッテリー４４は、ＵＳＢ充電ポート４５を介して外部電源と接続されて充電され、モータ４３へ電力を供給する。電源スイッチ４６は、制御回路基板４７を介してモータ４３をオンし、モータ４３の心軸下端には、嵌着部４１が取付けられる。嵌着部４１は、研磨ユニット３の回転軸３６の上端に取付けられ、動力により研磨ユニット３の回転軸３６を旋回させると研磨刃３５及び研磨リング３４によりコーヒー豆を挽くことができる。
【００１７】
図１２は、手動駆動の実施例である。手動駆動ユニット７は、研磨ユニット３のベースボディ３１の上端に取付けられるとともに、嵌着部７１を底部に有する回転盤７２と、回転盤７２の外縁一側に設置されたつまみ７３と、を有する。
【００１８】
図２、図３及び図８に示すように、上蓋５は、収容空間５１を有する。上蓋５の開口内側には、コップ本体１の開口外側に設けられた雄ねじ１２と螺合する雌ねじ５２が設けられ、コップ本体１の収容空間１１と上蓋５の収容空間５１とにより形成された空間内に、駆動ユニット４、研磨ユニット３及び濾過ユニット２を収容して保管することができるため、利便性及び実用性に優れている。
【００１９】
図２、図３、図８及び図１４に示すように、保温蓋６は、上蓋５の頂面及びコップ本体１の上端にそれぞれ取付けられる。
【００２０】
図９に示すように、本考案は、濾過ユニット２のドリッパー２１を研磨ユニット３の環状フランジ３２の下端外側に取付けた後、研磨ユニット３のベースボディ３１内にコーヒー豆を投入し、駆動ユニット４を研磨ユニット３のベースボディ３１の上端に取付けてから、一体成形した濾過ユニット２、研磨ユニット３及び駆動ユニット４をコップ本体１の収容空間１１内へ嵌入し、電源スイッチ４６をオンすると、駆動ユニット４のモータ４３により研磨刃３５を旋回させてコーヒー豆を挽いてコーヒー粉を作り、コーヒー粉は濾過ユニット２のフィルター２１１内に落下する。
【００２１】
図１０及び図１１に示すように、濾過ユニット２を研磨ユニット３の下端から取り外し、濾過ユニット２のドリッパー２１の下端外縁のリング２２を上向きに時計回りで回転させると、爪２２１が取付け部２１２上のテーパ面２１３に沿って外に広がり、爪２２１の外径がドリッパー２１上端の外径より大きくなり、濾過ユニット２のリング２２がコップ本体１の開口頂端に嵌合される。お湯を濾過ユニット２のドリッパー２１内へ流し込み、お湯でコーヒー粉からコーヒーを抽出し、フィルター２１１からコップ本体１の収容空間１１内へ流し込むとコーヒーが抽出される。
【００２２】
図２、図３及び図８に示すように、実際に使用した後、濾過ユニット２のドリッパー２１を研磨ユニット３の環状フランジ３２の下端外側へ取付けてから、駆動ユニット４を研磨ユニット３のベースボディ３１の上端に取付け、一体成形した濾過ユニット２、研磨ユニット３及び駆動ユニット４をコップ本体１の収容空間１１内に嵌入し、上蓋５及び保温蓋６を閉じると、上蓋５の収容空間５１とコップ本体１の収容空間１１とにより形成された空間に各部材を収納することができる。
【００２３】
図１３に示すように、本考案は、米、オートミール又は雑穀を挽くアセンブリ構造として用いることもできる。当該アセンブリ構造は、駆動ユニット４、研磨ユニット３及び上蓋５を組み合わせて使用することができる。上蓋５は、コーヒー豆を挽いて作ったコーヒー粉末を収容する容器として使用してもよく、実際に使用する際、オートミールを研磨ユニット３のベースボディ３１内に投入してから、駆動ユニット４を研磨ユニット３の上端に組み合わせ、研磨ユニット３を上蓋５の収容空間５１内に嵌入し、研磨ユニット３を環状フランジ３２を介して収容空間５１内に吊下げ、電源スイッチ４６をオンすると、コーヒー豆を挽いた後、お湯で直接コーヒーを抽出して飲むことができる。
【００２４】
図１４に示すように、本考案の一実施形態に係る携帯型コーヒーミル及びコーヒー抽出装置は、コップ本体１と保温蓋６とを結合すると、容器を保温するために用いる断面構造が得られる。
【００２５】
上述したことから分かるように、本考案の携帯型コーヒーミル及びコーヒー抽出装置は、コーヒー粉を挽いた後、駆動ユニット及び研磨ユニットを取り外し、濾過ユニットのリングを上向きに旋回させると、爪が取付け部のテーパ面に沿って外に広がり、爪の外径がドリッパー上端の外径より大きくなり、濾過ユニットのリングがコップ本体の開口頂端に嵌設され、濾過ユニットの上方からお湯を注入してコーヒーを抽出し、使用後、駆動ユニット、研磨ユニット及び濾過ユニットを取付けてコップ本体の収容空間内に挿入してから、上蓋及び保温蓋を閉じると各部材を収納して保管することができる。そのため、小型化して無駄に空間を占有することがなく携行に便利であるため、大型で重かった従来のコーヒーミル、コーヒー抽出装置及び全機能コーヒーメーカーの欠点を改善することができる上、バッテリー及びモータベースを備えているため、外出先でも使用することができる。
【符号の説明】
【００２６】
１    コップ本体
２    濾過ユニット
３    研磨ユニット
４    駆動ユニット
５    上蓋
６    保温蓋
７    手動駆動ユニット
１１  収容空間
１２  雄ねじ
２１  ドリッパー
２２  リング
３１  ベースボディ
３２  環状フランジ
３３  フレーム
３４  研磨リング
３５  研磨刃
３６  回転軸
４１  嵌着部
４２  ハウジング
４３  モータ
４４  バッテリー
４５  ＵＳＢ充電ポート
４６  電源スイッチ
４７  制御回路基板
４８  電量表示インタフェース
５１  収容空間
５２  雌ねじ
７１  嵌着部
７２  回転盤
７３  つまみ
２１１  フィルター
２１２  取付け部
２１３  テーパ面
２２１  爪
【図１】
0003214079.tif 000003
【図２】
0003214079.tif 000004
【図３】
0003214079.tif 000005
【図４】
0003214079.tif 000006
【図５】
0003214079.tif 000007
【図６】
0003214079.tif 000008
【図７】
0003214079.tif 000009
【図８】
0003214079.tif 000010
【図９】
0003214079.tif 000011
【図１０】
0003214079.tif 000012
【図１１】
0003214079.tif 000013
【図１２】
0003214079.tif 000014
【図１３】
0003214079.tif 000015
【図１４】
0003214079.tif 000016